【手続補正書】
【提出日】平成28年4月12日(2016.4.12)
【手続補正１】
【補正対象書類名】特許請求の範囲
【補正対象項目名】全文
【補正方法】変更
【補正の内容】
【特許請求の範囲】
【請求項１】
ユーザ機器デバイスを用いて、メディアアセットアクセス衝突を識別する方法であって、前記方法は、
複数のメディアアセットリスト項目のうちの少なくともいくつかおよびタイムバーを含むメディアガイドを表示のために生成することと、
前記タイムバーの第１の部分を識別することであって、前記第１の部分は、それぞれのメディアガイド機能が割り当てられたメディアアセットが、伝送のためにスケジューリングされた第１の時間間隔を表し、前記メディアアセットは、前記複数のメディアアセットリスト項目の一部に対応する、ことと、
前記タイムバーの第１の部分内の第２の部分を識別することであって、前記第２の部分は、前記メディアアセットのスケジューリングされた伝送時間が重複している第２の時間間隔を表す、ことと、
前記第１の部分での表示のために第１のインジケータを生成することであって、前記第１のインジケータは、前記メディアガイド機能が割り当てられた前記メディアアセットが、伝送のためにスケジューリングされた前記第１の時間間隔を表す、ことと、
前記第２の部分での表示のために第２のインジケータを生成することであって、前記第２のインジケータは、前記メディアアセットのスケジューリングされた伝送時間が重複している第２の時間間隔を表す、ことと
を含む、方法。
【請求項２】
重複する前記スケジューリングされた伝送時間を有する前記メディアアセットに割り当てられたメディアガイド機能が、リソース衝突を生じさせるかどうかを決定することと、
前記メディアガイド機能がリソース衝突を生じさせないことを決定することに応答して、前記第２のインジケータが表示のために生成されることを防止することと
をさらに含む、請求項１に記載の方法。
【請求項３】
前記第１および第２のインジケータは、表示のために、前記メディアアセットのうちの第１のメディアアセットに対応する第１のメディアアセットリスト項目が表示されることを伴わずに生成される、請求項１に記載の方法。
【請求項４】
前記メディアアセットのうちの前記第１および第２のメディアアセットに割り当てられたメディアガイド機能は、ユーザが前記第１および第２のメディアアセットにアクセスすることへの推奨であり、前記方法は、
第１のメディアアセットの第１のユーザ選択または前記第２のメディアアセットに対応する第２のメディアアセットリスト項目の第２のユーザ選択を受信することに応答して、自動的に録画するために前記第１のメディアアセットをスケジューリングすることと、
前記第２のメディアアセットを表示のために生成することと
をさらに含む、請求項１に記載の方法。
【請求項５】
前記タイムバーの第２の部分を選択する第１のユーザ入力を受信することと、
スケジューリングされた伝送時間内に重複が識別されたメディアアセットを識別するプロンプトを表示のために生成することと、
前記識別されたメディアアセットのうちの１つに割り当てられた前記メディアガイド機能を変更する第２のユーザ入力を受信することと
をさらに含む、請求項１に記載の方法。
【請求項６】
ユーザ機器デバイスを用いて、メディアアセットアクセス衝突を識別するためのシステムであって、前記システムは、制御回路を備え、前記制御回路は、
複数のメディアアセットリスト項目のうちの少なくともいくつかおよびタイムバーを含むメディアガイドを表示のために生成することと、
前記タイムバーの第１の部分を識別することであって、前記第１の部分は、それぞれのメディアガイド機能が割り当てられたメディアアセットが、伝送のためにスケジューリングされた第１の時間間隔を表し、前記メディアアセットは、前記複数のメディアアセットリスト項目の一部に対応する、ことと、
前記タイムバーの第１の部分内の第２の部分を識別することであって、前記第２の部分は、前記メディアアセットのスケジューリングされた伝送時間が重複している第２の時間間隔を表す、ことと、
前記第１の部分での表示のために第１のインジケータを生成することであって、前記第１のインジケータは、前記メディアガイド機能が割り当てられた前記メディアアセットが、伝送のためにスケジューリングされた前記第１の時間間隔を表す、ことと、
前記第２の部分での表示のために第２のインジケータを生成することであって、前記第２のインジケータは、前記メディアアセットのスケジューリングされた伝送時間が重複している第２の時間間隔を表す、ことと
を行うように構成されている、システム。
【請求項７】
前記制御回路は、
重複するスケジューリングされた伝送時間を有する前記メディアアセットに割り当てられたメディアガイド機能が、リソース衝突を生じさせるかどうかを決定することと、
前記メディアガイド機能がリソース衝突を生じさせないことを決定することに応答して、前記第２のインジケータが表示のために生成されることを防止することと
を行うようにさらに構成されている、請求項６に記載のシステム。
【請求項８】
前記第１および第２のインジケータは、前記メディアアセットのうちの第１のメディアアセットに対応する第１のメディアアセットリスト項目が表示されることを伴わずに表示されるために生成される、請求項６に記載のシステム。
【請求項９】
前記メディアアセットのうちの前記第１および第２のメディアアセットに割り当てられたメディアガイド機能は、ユーザが前記第１および第２のメディアアセットにアクセスすることへの推奨であり、前記制御回路は、
第１のメディアアセットの第１のユーザ選択または前記第２のメディアアセットに対応する第２のメディアアセットリスト項目の第２のユーザ選択を受信することに応答して、自動的に録画するために前記第１のメディアアセットをスケジューリングすることと、
前記第２のメディアアセットを表示のために生成することと
を行うようにさらに構成されている、請求項６に記載のシステム。
【請求項１０】
前記制御回路は、
前記タイムバーの第２の部分を選択する第１のユーザ入力を受信することと、
前記スケジューリングされた伝送時間内の重複が識別されたメディアアセットを識別するプロンプトを表示のために生成することと、
前記識別されたメディアアセットのうちの１つに割り当てられたメディアガイド機能を変更する第２のユーザ入力を受信することと
を行うようにさらに構成されている、請求項６に記載のシステム。
【手続補正２】
【補正対象書類名】明細書
【補正対象項目名】０００８
【補正方法】変更
【補正の内容】
【０００８】
いくつかの実装では、メディアガイド表示は、複数のメディアアセットリスト項目とともに同時に表示される、第１および第２のインジケータを含むタイムバーを含み得る。いくつかの実装では、メディアガイド機能が割り当てられたメディアアセットのスケジューリングされた伝送時間に基づいて示される、タイムバー内の時間間隔は、表示されるメディアアセットリスト項目のためにメディアガイド表示内に表される時間間隔と異なり得る。特に、タイムバーは、機能が割り当てられたメディアアセットが、現在、メディアガイド表示内に示されているかどうかにかかわらず、メディアガイドアプリケーション機能が割り当てられた時間を表し得る。
本願明細書は、例えば、以下の項目も提供する。
（項目１）
ユーザ機器デバイスを用いて、メディアアセットアクセス衝突を識別する方法であって、前記方法は、
複数のメディアアセットリスト項目のうちの少なくともいくつかおよびタイムバーを含むメディアガイドを表示のために生成することと、
前記タイムバーの第１の部分を識別することであって、前記第１の部分は、それぞれのメディアガイド機能が割り当てられたメディアアセットが、伝送のためにスケジューリングされた第１の時間間隔を表し、前記メディアアセットは、前記複数のメディアアセットリスト項目の一部に対応する、ことと、
前記タイムバーの第１の部分内の第２の部分を識別することであって、前記第２の部分は、前記メディアアセットのスケジューリングされた伝送時間が重複している第２の時間間隔を表す、ことと、
前記第１の部分での表示のために第１のインジケータを生成することであって、前記第１のインジケータは、前記メディアガイド機能が割り当てられた前記メディアアセットが、伝送のためにスケジューリングされた前記第１の時間間隔を表す、ことと、
前記第２の部分での表示のために第２のインジケータを生成することであって、前記第２のインジケータは、前記メディアアセットのスケジューリングされた伝送時間が重複している第２の時間間隔を表す、ことと
を含む、方法。
（項目２）
前記メディアアセットのうちの第１のメディアアセットに割り当てられたメディアガイド機能は、スケジューリングされた録画、前記第１のメディアアセットのためのリマインダ、または、ユーザが前記第１のメディアアセットにアクセスすることへの推奨を含む、項目１に記載の方法。
（項目３）
重複する前記スケジューリングされた伝送時間を有する前記メディアアセットに割り当てられたメディアガイド機能が、リソース衝突を生じさせるかどうかを決定することと、
前記メディアガイド機能がリソース衝突を生じさせないことを決定することに応答して、前記第２のインジケータが表示のために生成されることを防止することと
をさらに含む、項目１に記載の方法。
（項目４）
前記メディアアセットのうちの第１のメディアアセットに割り当てられたメディアガイド機能は、前記メディアアセットのうちの第２のメディアアセットに割り当てられたメディアガイド機能と異なる、項目１に記載の方法。
（項目５）
前記タイムバーは、前記第１および第２の時間間隔を含む第３の時間間隔を表し、前記方法は、
前記第３の時間間隔内の前記複数のメディアリスト項目を通してナビゲートするためのユーザ要求を受信することと、
表示のために、前記ユーザ要求を受信した後、前記メディアアセットのうちの第１のメディアアセットに対応する前記メディアリスト項目のうちの第１のメディアリスト項目を生成することと
をさらに含む、項目１に記載の方法。
（項目６）
前記複数のメディアアセットリスト項目の一部を伴う前記タイムバーを表示のために生成することをさらに含み、前記タイムバーは、１２または２４時間の時間間隔を表す、項目１に記載の方法。
（項目７）
前記第１および第２のインジケータは、表示のために、前記メディアアセットのうちの第１のメディアアセットに対応する第１のメディアアセットリスト項目が表示されることを伴わずに生成される、項目１に記載の方法。
（項目８）
前記メディアアセットのうちの第１および第２のメディアアセットに割り当てられたメディアガイド機能は、ユーザが前記第１および第２のメディアアセットにアクセスすることへの推奨であり、前記方法は、
前記第１のメディアアセットを録画のためにスケジューリングすることと、
前記第２のメディアアセットを表示のために生成することと
をさらに含む、項目１に記載の方法。
（項目９）
前記スケジューリングすることおよび表示することは、前記第１のメディアアセットに対応する第１のメディアアセットリスト項目の第１のユーザ選択または前記第２のメディアアセットに対応する第２のメディアアセットリスト項目の第２のユーザ選択の受信に応答して、自動的に実施される、項目８に記載の方法。
（項目１０）
前記タイムバーの第２の部分を選択する第１のユーザ入力を受信することと、
スケジューリングされた伝送時間内に重複が識別されたメディアアセットを識別するプロンプトを表示のために生成することと、
前記識別されたメディアアセットのうちの１つに割り当てられた前記メディアガイド機能を変更する第２のユーザ入力を受信することと
をさらに含む、項目１に記載の方法。
（項目１１）
ユーザ機器デバイスを用いて、メディアアセットアクセス衝突を識別するためのシステムであって、前記システムは、制御回路を備え、前記制御回路は、
複数のメディアアセットリスト項目のうちの少なくともいくつかおよびタイムバーを含むメディアガイドを表示のために生成することと、
前記タイムバーの第１の部分を識別することであって、前記第１の部分は、それぞれのメディアガイド機能が割り当てられたメディアアセットが、伝送のためにスケジューリングされた第１の時間間隔を表し、前記メディアアセットは、前記複数のメディアアセットリスト項目の一部に対応する、ことと、
前記タイムバーの第１の部分内の第２の部分を識別することであって、前記第２の部分は、前記メディアアセットのスケジューリングされた伝送時間が重複している第２の時間間隔を表す、ことと、
前記第１の部分での表示のために第１のインジケータを生成することであって、前記第１のインジケータは、前記メディアガイド機能が割り当てられた前記メディアアセットが、伝送のためにスケジューリングされた前記第１の時間間隔を表す、ことと、
前記第２の部分での表示のために第２のインジケータを生成することであって、前記第２のインジケータは、前記メディアアセットのスケジューリングされた伝送時間が重複している第２の時間間隔を表す、ことと
を行うように構成されている、システム。
（項目１２）
前記メディアアセットのうちの第１のメディアアセットに割り当てられたメディアガイド機能は、スケジューリングされた録画、前記第１のメディアアセットのためのリマインダ、または、ユーザが前記第１のメディアアセットにアクセスすることへの推奨を含む、項目１１に記載のシステム。
（項目１３）
前記制御回路は、
重複するスケジューリングされた伝送時間を有する前記メディアアセットに割り当てられたメディアガイド機能が、リソース衝突を生じさせるかどうかを決定することと、
前記メディアガイド機能がリソース衝突を生じさせないことを決定することに応答して、前記第２のインジケータが表示のために生成されることを防止することと
を行うようにさらに構成されている、項目１１に記載のシステム。
（項目１４）
前記メディアアセットのうちの第１のメディアアセットに割り当てられたメディアガイド機能は、前記メディアアセットのうちの第２のメディアアセットに割り当てられたメディアガイド機能と異なる、項目１１に記載のシステム。
（項目１５）
前記タイムバーは、前記第１および第２の時間間隔を含む第３の時間間隔を表し、前記制御回路は、
前記第３の時間間隔内の前記複数のメディアリスト項目を通してナビゲートするためのユーザ要求を受信することと、
前記ユーザ要求を受信した後、前記メディアアセットのうちの第１のメディアアセットに対応する前記メディアリスト項目のうちの第１のメディアリスト項目を表示のために生成することと
を行うようにさらに構成されている、項目１１に記載のシステム。
（項目１６）
前記制御回路は、前記複数のメディアアセットリスト項目の一部を伴うタイムバーを表示のために生成するようにさらに構成され、前記タイムバーは、１２または２４時間の時間間隔を表す、項目１１に記載のシステム。
（項目１７）
前記第１および第２のインジケータは、前記メディアアセットのうちの第１のメディアアセットに対応する第１のメディアアセットリスト項目が表示されることを伴わずに表示されるために生成される、項目１１に記載のシステム。
（項目１８）
前記メディアアセットのうちの前記第１および第２のメディアアセットに割り当てられたメディアガイド機能は、ユーザが前記第１および第２のメディアアセットにアクセスすることへの推奨であり、前記制御回路は、
前記第１のメディアアセットを録画のためにスケジューリングすることと、
前記第２のメディアアセットを表示のために生成することと
を行うようにさらに構成されている、項目１１に記載のシステム。
（項目１９）
前記スケジューリングすることおよび表示することは、前記第１のメディアアセットに対応する第１のメディアアセットリスト項目の第１のユーザ選択または前記第２のメディアアセットに対応する第２のメディアアセットリスト項目の第２のユーザ選択の受信に応答して、自動的に実施される、項目１８に記載のシステム。
（項目２０）
前記制御回路は、
前記タイムバーの第２の部分を選択する第１のユーザ入力を受信することと、
前記スケジューリングされた伝送時間内の重複が識別されたメディアアセットを識別するプロンプトを表示のために生成することと、
前記識別されたメディアアセットのうちの１つに割り当てられたメディアガイド機能を変更する第２のユーザ入力を受信することと
を行うようにさらに構成されている、項目１１に記載のシステム。
（項目２１）
ユーザ機器デバイスを用いて、メディアアセットアクセス衝突を識別するための装置であって、前記装置は、
複数のメディアアセットリスト項目のうちの少なくともいくつかおよびタイムバーを含むメディアガイドを表示のために生成する手段と、
前記タイムバーの第１の部分を識別する手段であって、前記第１の部分は、それぞれのメディアガイド機能が割り当てられたメディアアセットが、伝送のためにスケジューリングされた第１の時間間隔を表し、前記メディアアセットは、前記複数のメディアアセットリスト項目の一部に対応する、手段と、
前記タイムバーの第１の部分内の第２の部分を識別する手段であって、前記第２の部分は、前記メディアアセットのスケジューリングされた伝送時間が重複している第２の時間間隔を表す、手段と、
前記第１の部分での表示のために第１のインジケータを生成する手段であって、前記第１のインジケータは、前記メディアガイド機能が割り当てられた前記メディアアセットが、伝送のためにスケジューリングされた前記第１の時間間隔を表す、手段と、
前記第２の部分での表示のために第２のインジケータを生成する手段であって、前記第２のインジケータは、前記メディアアセットのスケジューリングされた伝送時間が重複している第２の時間間隔を表す、手段と
を備えている、装置。
（項目２２）
前記メディアアセットのうちの第１のメディアアセットに割り当てられたメディアガイド機能は、スケジューリングされた録画、前記第１のメディアアセットのためのリマインダ、または、ユーザが前記第１のメディアアセットにアクセスすることへの推奨を含む、項目２１に記載の装置。
（項目２３）
重複する前記スケジューリングされた伝送時間を有する前記メディアアセットに割り当てられたメディアガイド機能が、リソース衝突を生じさせるかどうかを決定する手段と、
前記メディアガイド機能がリソース衝突を生じさせないことを決定することに応答して、前記第２のインジケータが表示のために生成されることを防止する手段と
をさらに備えている、項目２１に記載の装置。
（項目２４）
前記メディアアセットのうちの第１のメディアアセットに割り当てられたメディアガイド機能は、前記メディアアセットのうちの第２のメディアアセットに割り当てられたメディアガイド機能と異なる、項目２１に記載の装置。
（項目２５）
前記タイムバーは、前記第１および第２の時間間隔を含む第３の時間間隔を表し、
前記第３の時間間隔内の複数のメディアリスト項目を通してナビゲートするためのユーザ要求を受信する手段と、
前記ユーザ要求を受信した後、前記メディアアセットのうちの第１のメディアアセットに対応する前記メディアリスト項目のうちの第１のメディアリスト項目を表示のために生成する手段と
をさらに備えている、項目２１に記載の装置。
（項目２６）
前記複数のメディアアセットリスト項目の一部を伴うタイムバーを表示のために生成する手段であって、前記タイムバーは、１２または２４時間の時間間隔を表す、手段をさらに備えている、項目２１に記載の装置。
（項目２７）
前記第１および第２のインジケータは、メディアアセットのうちの第１のメディアアセットに対応する第１のメディアアセットリスト項目が表示されることを伴わずに表示されるために生成される、項目２１に記載の装置。
（項目２８）
前記メディアアセットのうちの前記第１および第２のメディアアセットに割り当てられたメディアガイド機能は、ユーザが前記第１および第２のメディアアセットにアクセスすることへの推奨であり、前記装置は、
前記第１のメディアアセットを録画のためにスケジューリングする手段と、
前記第２のメディアアセットを表示のために生成する手段と
をさらに備えている、項目２１に記載の装置。
（項目２９）
前記スケジューリングすることおよび表示することは、前記第１のメディアアセットに対応する第１のメディアアセットリスト項目の第１のユーザ選択または前記第２のメディアアセットに対応する第２のメディアアセットリスト項目の第２のユーザ選択の受信に応答して、自動的に実施される、項目２８に記載の装置。
（項目３０）
前記タイムバーの第２の部分を選択する第１のユーザ入力を受信する手段と、
スケジューリングされた伝送時間内に重複が識別されたメディアアセットを識別するプロンプトを表示のために生成する手段と、
前記識別されたメディアアセットのうちの１つに割り当てられたメディアガイド機能を変更する第２のユーザ入力を受信する手段と
をさらに備えている、項目２１に記載の装置。